(57)【特許請求の範囲】
【請求項１】
ＵＳＢポートと入力装置を備えた所定端末と連結されるＵＳＢコネクタ部と；
ＨＩＤ標準規格を遵守するように既設定されて、前記ＵＳＢポートと連結する時、前記所定端末でＨＩＤ遵守装置と認識されるようにする装置認識部と；
ブルートゥース装置を支援する所定外部機器に既設定された標準ブルートゥース入力装置と認識されるようにし、前記標準ブルートゥース入力装置として前記所定外部機器とブルートゥース通信するブルートゥース通信部と；
前記所定端末で実行され、前記標準ブルートゥース入力装置の種類と対応される前記所定端末の入力装置データを入力されて、これを前記ＨＩＤ標準規格で提供する標準プロトコルの形態に変換して前記装置認識部に伝送する実行プログラムを備えたメモリ部と；
前記装置認識部から入力装置データをＨＩＤ標準プロトコル形態で伝送され、これを前記入力装置の種類によって既設定された形式で解析して、前記標準ブルートゥース入力装置のプロトコルに対応されるようにデータを生成するデータ生成部と；
前記データ生成部で生成したデータを前記ブルートゥース通信部に伝送する制御部とを含むが、
前記ブルートゥース通信部が所定外部機器に既設定された標準ブルートゥース入力装置と認識されるように、前記所定外部機器のブルートゥース入力装置に対するブルートゥースプロファイルを保存したプロファイル保存部をさらに含む
ことを特徴とする入力インターフェースを提供するＵＳＢ装置。
【請求項２】
前記装置認識部は、
前記ＨＩＤ標準規格を遵守し、前記標準ブルートゥース入力装置の種類によって既設定されたデータ構造で前記実行プログラムからデータを伝送される
ことを特徴とする請求項１に記載の入力インターフェースを提供するＵＳＢ装置。
【請求項３】
前記ブルートゥース通信部は、
ブルートゥースＨＩＤ装置を支援する所定外部機器で標準ブルートゥースＨＩＤ入力装置と認識され、ブルートゥース通信する
ことを特徴とする請求項１に記載の入力インターフェースを提供するＵＳＢ装置。
【請求項４】
前記装置認識部は、
前記実行プログラムから前記所定端末でのマウスポインタデータを伝送されることをさらに含む
請求項１に記載の入力インターフェースを提供するＵＳＢ装置。
【請求項５】
前記装置認識部は、
前記所定端末でポインタ位置が既設定された臨界値を超えるか、既設定された位置に移動する場合、前記実行プログラムから複写した入力データを伝送される
ことを特徴とする請求項１に記載の入力インターフェースを提供するＵＳＢ装置。
【請求項６】
前記メモリ部は、
読みおよび書きが可能なメモリから構成され、前記実行プログラムのアップデートができる
ことを特徴とする請求項１に記載の入力インターフェースを提供するＵＳＢ装置。
【請求項７】
前記メモリ部は、
前記所定端末のオペレーティングシステムの種類による各々の実行プログラムを備えた
ことを特徴とする請求項１に記載の入力インターフェースを提供するＵＳＢ装置。
【請求項８】
前記所定外部機器は、スマートフォン、タブレット、ノートパソコンの中の一つであって、
前記所定外部機器のオペレーティングシステムは、アンドロイドＯＳ、ｉＯＳ、ウィンドウズＯＳ、シンビアンＯＳ、ブラックベリーＯＳ、バダＯＳの中の一つである
ことを特徴とする請求項１に記載の入力インターフェースを提供するＵＳＢ装置。
【請求項９】
前記装置認識部は、
前記所定端末で前記メモリ部および前記ＨＩＤ遵守装置の同時認識のためのＵＳＢハブをさらに含む
請求項１に記載の入力インターフェースを提供するＵＳＢ装置。
【請求項１０】
所定端末とＵＳＢポートを通じて連結されるＵＳＢ装置において、
ブルートゥース装置を支援する所定外部機器に既設定された標準ブルートゥース入力装置と認識されるようにし、前記標準ブルートゥース入力装置として前記所定外部機器とブルートゥース通信するブルートゥース通信部と；
ＨＩＤ標準規格を遵守するように既設定されて前記ＵＳＢポートと連結する時、前記所定端末でＨＩＤ遵守装置と認識され、前記所定端末で実行されて前記標準ブルートゥース入力装置の種類と対応される前記所定端末の入力装置のデータを入力され、前記ＨＩＤ標準規格によるプロトコル形式に変換した入力データを伝送する実行プログラムを通じて前記入力データを伝送され、これを前記入力装置の種類によって既設定された形式で解析して前記標準ブルートゥース入力装置のプロトコルに対応されるようにデータを生成し、これを前記ブルートゥース通信部に伝送するＵＳＢ制御部とを含む
ことを特徴とする入力インターフェースを提供するＵＳＢ装置。
【請求項１１】
所定端末とＵＳＢポートを通じて連結されるＵＳＢ装置において、
ＨＩＤ標準規格を遵守するように既設定されて前記ＵＳＢポートと連結する時、前記所定端末でＨＩＤ遵守装置と認識されるようにする装置認識部と；
所定外部機器に標準ブルートゥースキーボードと認識され、前記所定外部機器とブルートゥース通信するブルートゥース通信部と；
前記所定端末で実行され、前記所定端末のキーボードデータを入力され、これを前記ＨＩＤ標準規格で提供するプロトコルの形態に変換して前記装置認識部に伝送する実行プログラムを保存したプログラム保存部と；
前記装置認識部から前記キーボードデータを伝送されて既設定された形式で解析するデータ解析部と；
前記データ解析部で解析されたデータを前記標準ブルートゥースキーボードのプロトコルに対応されるようにデータを生成するデータ生成部と；
前記データ生成部で生成したデータを前記ブルートゥース通信部に伝送する制御部とを含む
ことを特徴とする入力インターフェースを提供するＵＳＢ装置。
【請求項１２】
ＵＳＢポートおよび入力装置を備えた所定端末と連結されるＵＳＢコネクタ部と；
ＨＩＤ標準規格を遵守するように既設定されて前記ＵＳＢポートと連結する時、前記所定端末でＨＩＤ遵守装置と認識されるようにする装置認識部と；
前記所定端末で実行され、前記所定端末の入力装置の種類を入力され、前記入力装置の対応される入力データを入力され、これを前記ＨＩＤ標準規格で提供する標準プロトコルの形態に変換して前記装置認識部に伝送する実行プログラムを備えたメモリ部と；
ブルートゥース装置を支援する一つ以上の外部機器に対し、所定外部機器が支援する一つ以上のブルートゥース入力装置に対するブルートゥースプロファイル等を保存したプロファイル保存部と；
前記ブルートゥースプロファイルの中の前記入力装置の種類と対応されるブルートゥースプロファイルを選択して前記所定外部機器が前記選択されたブルートゥース入力装置と認識するようにしながら、前記所定外部機器とブルートゥース通信するブルートゥース通信部と；
前記装置認識部から前記入力データを伝送され、これを前記設定された入力装置の種類によって既設定された形式で解析するデータ解析部と；
前記データ解析部で解析されたデータを前記選択したブルートゥースプロファイルのプロトコルに対応されるようにデータを生成するデータ生成部と；
前記データ生成部で生成したデータを前記ブルートゥース通信部に伝送する制御部とを含む
ことを特徴とする入力インターフェースを提供するＵＳＢ装置。
【請求項１３】
前記プロファイル保存部は、前記ブルートゥースプロファイル等の追加、削除、更新が可能であって、
前記メモリ部は、前記実行プログラムの追加、削除、更新ができる
ことを特徴とする請求項１２に記載の入力インターフェースを提供するＵＳＢ装置。
【請求項１４】
ＵＳＢポートおよび入力装置を備えた所定端末と連結されるＵＳＢコネクタ部と；
ＨＩＤ標準規格を遵守するように既設定されて前記ＵＳＢポートと連結する時、前記所定端末でＨＩＤ遵守装置と認識されるようにする装置認識部と；
ブルートゥース装置を支援する一つ以上の外部機器に対し、所定外部機器が支援する一つ以上の標準ブルートゥース入力装置に対するブルートゥースプロファイル等を保存したプロファイル保存部と；
前記ブルートゥースプロファイルの中の一つを選択して前記所定外部機器が前記選択されたブルートゥース入力装置と認識するようにした後、前記所定外部機器とブルートゥース通信するブルートゥース通信部と；
前記ブルートゥース入力装置の種類を設定され、前記ブルートゥース通信部が選択するブルートゥースプロファイルを指定する入力インターフェース設定部と；
前記所定端末で実行され、前記入力装置の種類と対応される前記所定端末の入力装置の入力データを入力され、これを前記ＨＩＤ標準規格で提供する標準プロトコルの形態に変換して前記装置認識部に伝送するプログラムを備えたメモリ部と；
前記装置認識部から前記入力データを伝送され、これを前記設定された入力装置の種類によって既設定された形式で解析するデータ解析部と；
前記データ解析部で解析されたデータを前記選択したブルートゥースプロファイルのプロトコルに対応されるようにデータを生成するデータ生成部と；
前記データ生成部で生成したデータを前記ブルートゥース通信部に伝送する制御部とを含む
ことを特徴とする入力インターフェースを提供するＵＳＢ装置。
【請求項１５】
所定端末とＵＳＢポートを通じて連結されるＵＳＢ装置のインターフェース提供方法において、
ａ）ＵＳＢ装置がＨＩＤ標準規格を遵守するように既設定されて、前記ＵＳＢポートと連結する時、前記所定端末でＨＩＤ遵守装置と認識されるようにする段階と；
ｂ）前記ＵＳＢ装置が前記所定端末で実行される実行プログラムを駆動する段階と；
ｃ）前記ＵＳＢ装置がブルートゥース装置を支援する所定外部機器に標準ブルートゥース入力装置と認識されてブルートゥース通信する段階と；
ｄ）前記ＵＳＢ装置が前記実行プログラムから前記標準ブルートゥース入力装置の種類と対応される前記所定端末の入力装置のデータを前記ＨＩＤ標準規格によるプロトコル形式に変換した入力データを伝送される段階と；
ｅ）前記ＵＳＢ装置が前記入力データを前記入力装置の種類によって既設定された形式で解析する段階と；
ｆ）前記ＵＳＢ装置が前記解析されたデータを前記標準ブルートゥース入力装置のプロトコルに対応されるようにデータを生成する段階と；
ｇ）前記ＵＳＢ装置が前記生成したデータを前記所定外部機器に伝送する段階と；を含む
ことを特徴とする入力インターフェースを提供するＵＳＢ装置のインターフェース提供方法。
【請求項１６】
所定端末とＵＳＢポートを通じて連結されるＵＳＢ装置のインターフェース提供方法において、
ａ）ＵＳＢ装置がＨＩＤ標準規格を遵守するように既設定されて、前記ＵＳＢポートと連結する時、前記所定端末でＨＩＤ遵守装置と認識されるようにする段階と；
ｂ）前記ＵＳＢ装置が前記所定端末で実行される実行プログラムを駆動し、前記実行プログラムから前記所定端末の入力装置の種類を入力される段階と；
ｃ）前記ＵＳＢ装置が既保存されたブルートゥース入力装置等に対するブルートゥースプロファイルの中の前記入力された入力装置の種類と対応されるブルートゥースプロファイルを選択して、所定外部機器が前記ＵＳＢ装置を選択されたブルートゥース入力装置と認識するようにしながら、前記所定外部機器とブルートゥース通信する段階と；
ｄ）前記ＵＳＢ装置が前記実行プログラムから前記入力装置の種類と対応される前記所定端末の入力装置のデータを前記ＨＩＤ標準規格で伝送される段階と；
ｅ）前記ＵＳＢ装置が前記伝送された入力装置のデータを前記入力装置の種類によって既設定された形式で解析する段階と；
ｆ）前記ＵＳＢ装置が前記解析されたデータを前記選択されたブルートゥース入力装置のプロトコルに対応するデータに変換する段階と；
g）前記ＵＳＢ装置が前記変換したデータを前記所定外部機器に伝送する段階と；を含む
ことを特徴とする入力インターフェースを提供するＵＳＢ装置のインターフェース提供方法。
【発明の詳細な説明】
【技術分野】
【０００１】
本発明は、入力インターフェースを提供するＵＳＢ装置およびそのインターフェース提供方法に関する。特に、ＵＳＢ装置を所定端末のＵＳＢポートと連結して前記所定端末の入力手段を外部機器と共有するようにして、前記ＵＳＢ装置とブルートゥース通信する様々な外部機器に対して、別途の入力手段無しに入力インターフェースを提供するようにしたＵＳＢ装置およびそのインターフェース提供方法に関する。
【背景技術】
【０００２】
無線通信技術の発展によって、様々な無線通信技術を用いた携帯用機器等の使用が活性化している。
【０００３】
ブルートゥース（Ｂｌｕｅｔｏｏｔｈ）（登録商標）は、このような無線通信規格の一例として、２.４５ＧＨｚ周波数を用いて近距離（半径約１０〜１００ｍ）内で各種の電子、情報通信機器を無線で連結、制御する近距離無線ネットワーキング技術規格である。
【０００４】
ブルートゥースを用いると、家庭や事務室内のコンピューター、プリンター、携帯電話、ＰＤＡなどの情報通信機器はもちろんのこと、各種のデジタル家電製品の間の通信に物理的なケーブル無しで無線周波数を利用し、高速でデータを交換することができる。
【０００５】
また、機器間のデータ通信が無線通信になり、ブルートゥース機能を備えたデジタルカメラ、プリンターなどの各種機器にもケーブルを連結する必要がなく、家庭内のほとんど全ての家電機器の有線ネットワークを無線に替えることができる。
【０００６】
一方、スマートフォンやタブレットのような最近の様々な携帯用機器等は、たいていこのようなブルートゥース機能を内蔵して、近距離での情報の送・受信を円滑に行う。
【０００７】
例えば、スマートフォンにブルートゥースヘッドホンを連結して音楽を聴いたり、ブルートゥースハンズフリーを連結して通話したりする用途で多く利用されている。
【０００８】
また、最近は一般的ユーザコンピューターより、このようなスマートフォンやタブレットの使用が次第に頻繁になって、ユーザの所持した様々な機器間に情報共有が多くなり、ユーザ達がスマートフォンに直接情報を入力したり、保存したりする場合が多くなった。
【０００９】
スマートフォンやタブレットは、文書作成ソフトウェアやメモ帳などをアプリケーションで内蔵して作成機能を提供することによって、このようなユーザの要求を満たしている。
【００１０】
ユーザ達は、前記文書作成ソフトウェアやメモ帳などを用いて、重要な予定や簡単なメモ内容を作成したりして、知人に直ちに伝送することもできる。
【００１１】
このような文書作成のためのスマートフォンやタブレットの入力手段としては、内蔵されたクワーティキーボードを用いるか、タッチ式画面を通じた直接的な入力手段が一般的である。
【００１２】
しかし、携帯用機器の特性上、その大きさに限界があるため、このようなクワーティキーボード、またはタッチ式画面を通じた入力は、ユーザの便宜性および入力速度が落ちるため、簡単な短文やメールに制限的に使用されてきた。
【００１３】
最近には、このような不便を解消するために、ブルートゥース通信を用いたスマートフォン用無線キーボードが販売され、ユーザが便利に文書作成をするに役に立つようになった。
【００１４】
しかし、これもまたスマートフォンのような携帯用機器を所持して、同時にスマートフォン用無線キーボードを所持してこそ使用可能なため、携帯性の面で非常に悪いという短所がある。
【００１５】
したがって、スマートフォンやタブレットを携帯する時、簡便に携帯して入力手段として活用できる装置が要求される。
【００１６】
また、ＵＳＢ装置としては、例えば特許文献１に、ＵＳＢを介してＵＳＢホストと接続されるＵＳＢ装置であり、ＵＳＢのデータラインを介して信号を受信する受信器と、制御信号に応答してデータラインにプルアップ抵抗を接続し、ＵＳＢホストがＵＳＢ装置をリセットする時、信号の電圧レベルがスレッショルド電圧より低くなるようにプルアップ抵抗の抵抗値を調節するプルアップ抵抗回路を含むことを特徴とするものが記載されている。
【先行技術文献】
【特許文献】
【００１７】
【特許文献１】特開２００７−１９３７９６号公報
【発明の概要】
【発明が解決しようとする課題】
【００１８】
前述の問題点を改善するための本発明の実施例の目的は、所定端末のＵＳＢポートと連結するＵＳＢ装置を通じて、前記所定端末の入力手段を外部機器と共有することによって、前記ＵＳＢ装置とブルートゥース通信する様々な外部機器に対して、別途の入力手段無しに入力インターフェースを提供できるようにした入力インターフェースを提供するＵＳＢ装置およびそのインターフェース提供方法を提供することにある。
【００１９】
前述の問題点を改善するための本発明の実施例の他の目的は、所定端末と連結されるＵＳＢ制御部と、外部機器と通信するブルートゥース通信部とを分離構成することによって、所定端末、または外部機器の種類に関係なく入力手段を共有するようにした入力インターフェースを提供するＵＳＢ装置およびそのインターフェース提供方法を提供することにある。
【００２０】
前述の問題点を改善するための本発明の実施例のまた他の目的は、ＵＳＢＨＩＤ標準規格を遵守して、所定端末のＵＳＢポートと連結して、前記所定端末がＵＳＢ装置をＨＩＤ遵守装置と認識することによって、様々なオペレーティングシステムに対して汎用的にＵＳＢ装置を使用できるようにした入力インターフェースを提供するＵＳＢ装置およびそのインターフェース提供方法を提供することにある。
【００２１】
前述の問題点を改善するための本発明の実施例のまた他の目的は、所定端末で動作する実行プログラムを備えて、前記実行プログラムが前記所定端末の入力データをＵＳＢ装置に伝送するようにすることによって、別途のドライバー無しに、簡便に入力インターフェースとして使用できるようにした入力インターフェースを提供するＵＳＢ装置およびそのインターフェース提供方法を提供することにある。
【００２２】
前述の問題点を改善するための本発明の実施例のまた他の目的は、ブルートゥースＨＩＤ標準規格を遵守して、外部機器とブルートゥース通信して、前記外部機器が前記ＵＳＢ装置を標準ブルートゥース入力手段と認識することによって、前記外部機器に別途のアプリケーションを設置しなくても、直ちに連動するようにした入力インターフェースを提供するＵＳＢ装置およびそのインターフェース提供方法を提供することにある。
【００２３】
前述の問題点を改善するための本発明の実施例のまた他の目的は、前記のような分離構成を通じて、入力手段の種類の設定変更、またはブルートゥース通信プロファイルの設定を変更するだけで、入力インターフェースの種類を変更できるようにすることによって、キーボード、マウスのような基本入力手段のみならず、ペンや、デジタイザのような様々な入力手段をインターフェースできるようにした入力インターフェースを提供するＵＳＢ装置およびそのインターフェース提供方法を提供することにある。
【課題を解決するための手段】
【００２４】
前記の目的を達成するための本発明の実施例による入力インターフェースを提供するＵＳＢ装置は、ＵＳＢポートと入力装置とを備えた所定端末と連結されるＵＳＢコネクタ部と；ＨＩＤ標準規格を遵守するように既設定されて前記ＵＳＢポートと連結する時、前記所定端末でＨＩＤ遵守装置と認識されるようにする装置認識部と；ブルートゥース装置を支援する所定外部機器に既設定された標準ブルートゥース入力装置と認識されるようにし、前記標準ブルートゥース入力装置としてブルートゥース通信するブルートゥース通信部と；前記所定端末で実行され、前記標準ブルートゥース入力装置の種類と対応される前記所定端末の入力装置データを入力され、これを前記ＨＩＤ標準規格に合わせて前記装置認識部に伝送する実行プログラムを備えたメモリ部と；前記装置認識部から入力装置データを伝送されて、これを前記入力装置の種類によって、既設定された形式で解析して、前記標準ブルートゥース入力装置のプロトコルに対応されるようにデータを生成するデータ生成部と；前記データ生成部で生成したデータを前記ブルートゥース通信部に伝送する制御部とを含めて構成される。
【００２５】
前記装置認識部は、前記ＨＩＤ標準規格を遵守し、前記標準ブルートゥース入力装置の種類によって、既設定されたデータ構造で前記実行プログラムからデータを伝送されることが好ましい。
【００２６】
前記ブルートゥース通信部は、ブルートゥースＨＩＤ装置を支援する所定外部機器で標準ブルートゥースＨＩＤ入力装置と認識されてブルートゥース通信する。
【００２７】
前記装置認識部は、前記実行プログラムから前記所定端末でのマウスポインタデータを伝送されることをさらに含むことができる。
【００２８】
前記装置認識部は、前記所定端末でポインタ位置が既設定された臨界値を超えるか、既設定された位置に移動する場合、前記実行プログラムから複写した入力データを伝送されることもできる。
【００２９】
前記メモリ部は、読みおよび書きが可能なメモリから構成され、前記実行プログラムのアップデートができることが好ましい。
【００３０】
また、前記メモリ部は、前記所定端末のオペレーティングシステムの種類による各々の実行プログラムを備えることがさらに好ましい。
【００３１】
前記所定外部機器は、スマートフォン、タブレット、ノートパソコンの中のいずれか一つであって、前記所定外部機器のオペレーティングシステムは、アンドロイド（登録商標）ＯＳ、ｉＯＳ、ウィンドウズ（登録商標）ＯＳ、シンビアン（登録商標）ＯＳ、ブラックベリー（登録商標）ＯＳ、バダＯＳの中のいずれか一つであることがある。
【００３２】
また、前記装置認識部は、前記所定端末で前記メモリ部および前記ＨＩＤ遵守装置の同時認識のためのＵＳＢハブをさらに含むこともできる。
【００３３】
前記の目的を達成するための本発明の他の実施例による入力インターフェースを提供するＵＳＢ装置は、所定端末とＵＳＢポートを通じて連結されるＵＳＢ装置であって、ブルートゥース装置を支援する所定外部機器に既設定された標準ブルートゥース入力装置と認識されるようにし、前記標準ブルートゥース入力装置としてブルートゥース通信するブルートゥース通信部と；ＨＩＤ標準規格を遵守するように既設定されて前記ＵＳＢポートと連結する時、前記所定端末でＨＩＤ遵守装置と認識され、前記所定端末で実行されて前記標準ブルートゥース入力装置の種類と対応される前記所定端末の入力装置のデータを入力され、前記ＨＩＤ標準規格によるプロトコル形式に変換した入力データを伝送する実行プログラムを通じて前記入力データを伝送され、これを前記入力装置の種類によって既設定された形式で解析して、前記標準ブルートゥース入力装置のプロトコルに対応されるようにデータを生成し、これを前記ブルートゥース通信部に伝送するＵＳＢ制御部とを含めてなる。
【００３４】
前記の目的を達成するための本発明のまた他の実施例による入力インターフェースを提供するＵＳＢ装置は、所定端末とＵＳＢポートを通じて連結されるＵＳＢ装置であって、ＨＩＤ標準規格を遵守するように既設定されて前記ＵＳＢポートと連結時、前記所定端末でＨＩＤ遵守装置と認識されるようにする装置認識部と；所定外部機器に標準ブルートゥースキーボードと認識されて前記所定外部機器とブルートゥース通信するブルートゥース通信部と；前記所定端末で実行されて、前記所定端末のキーボードデータを入力されて、これを前記ＨＩＤ標準規格で提供するプロトコルの形態に変換して前記装置認識部に伝送する実行プログラムを保存したプログラム保存部と；前記装置認識部から前記キーボードデータを伝送されて、既設定された形式で解析するデータ解析部と；前記データ解析部で解析されたデータを前記標準ブルートゥースキーボードのプロトコルに対応されるようにデータを生成するデータ生成部と；前記データ生成部で生成したデータを前記ブルートゥース通信部に伝送する制御部とを含めてなる。
【００３５】
前記の目的を達成するための本発明のまた他の実施例による入力インターフェースを提供するＵＳＢ装置は、ＵＳＢポートおよび入力装置を備えた所定端末と連結されるＵＳＢコネクタ部と；ＨＩＤ標準規格を遵守するように既設定されて前記ＵＳＢポートと連結する時、前記所定端末でＨＩＤ遵守装置と認識されるようにする装置認識部と；前記所定端末で実行されて、前記所定端末の入力装置の種類を入力され、前記入力装置の対応される入力データを入力されて、これを前記ＨＩＤ標準規格で提供する標準プロトコルの形態に変換して、前記装置認識部に伝送する実行プログラムを備えたメモリ部と；ブルートゥース装置を支援する一つ以上の外部機器に対し、所定外部機器が支援する一つ以上の標準ブルートゥース入力装置に対するブルートゥースプロファイル等を保存したプロファイル保存部と；前記ブルートゥースプロファイルの中で、前記入力装置の種類と対応されるブルートゥースプロファイルを選択して、前記所定外部機器が前記選択されたブルートゥース入力装置と認識するようにしながら、前記所定外部機器とブルートゥース通信するブルートゥース通信部と；前記装置認識部から前記入力データを伝送されて、これを前記設定された入力装置の種類によって、既設定された形式で解析するデータ解析部と；前記データ解析部で解析されたデータを前記選択したブルートゥースプロファイルのプロトコルに対応されるようにデータを生成するデータ生成部と；前記データ生成部で生成したデータを前記ブルートゥース通信部に伝送する制御部とを含めてなる。
【００３６】
前記プロファイル保存部は、前記ブルートゥースプロファイル等の追加、削除、更新が可能であり、前記メモリ部は、前記実行プログラムの追加、削除、更新が可能である。
【００３７】
前記の目的を達成するための本発明のまた他の実施例による入力インターフェースを提供するＵＳＢ装置は、ＵＳＢポートおよび入力装置を備えた所定端末と連結されるＵＳＢコネクタ部と；ＨＩＤ標準規格を遵守するように既設定されて前記ＵＳＢポートと連結する時、前記所定端末でＨＩＤ遵守装置と認識されるようにする装置認識部と；ブルートゥース装置を支援する一つ以上の外部機器に対し、所定外部機器が支援する一つ以上のブルートゥース入力装置に対するブルートゥースプロファイル等を保存したプロファイル保存部と；前記ブルートゥースプロファイルの中の一つを選択して前記所定外部機器が前記選択されたブルートゥース入力装置と認識するようにした後、前記所定外部機器とブルートゥース通信するブルートゥース通信部と；前記ブルートゥース入力装置の種類を設定されて、前記ブルートゥース通信部が選択するブルートゥースプロファイルを指定する入力インターフェース設定部と；前記所定端末で実行され、前記入力装置の種類と対応される前記所定端末の入力装置の入力データを入力され、これを前記ＨＩＤ標準規格で提供する標準プロトコルの形態に変換して前記装置認識部に伝送するプログラムを備えたメモリ部と；前記装置認識部から前記入力データを伝送され、これを前記設定された入力装置の種類によって、既設定された形式で解析するデータ解析部と；前記データ解析部で解析されたデータを前記選択したブルートゥースプロファイルのプロトコルに対応されるようにデータを生成するデータ生成部と；前記データ生成部で生成したデータを前記ブルートゥース通信部に伝送する制御部とを含めてなる。
【００３８】
前記の目的を達成するための本発明のまた他の実施例による入力インターフェースを提供するＵＳＢ装置のインターフェース提供方法は、所定端末とＵＳＢポートを通じて連結されるＵＳＢ装置のインターフェース提供方法であって、ＵＳＢ装置がＨＩＤ標準規格を遵守するように既設定されて、前記ＵＳＢポートと連結する時、前記所定端末でＨＩＤ遵守装置と認識されるようにする段階と；前記ＵＳＢ装置が前記所定端末で実行される実行プログラムを駆動する段階と；前記ＵＳＢ装置がブルートゥース装置を支援する所定外部機器に標準ブルートゥース入力装置と認識されてブルートゥース通信する段階と；前記ＵＳＢ装置が前記実行プログラムから前記標準ブルートゥース入力装置の種類と対応される前記所定端末の入力装置のデータを前記ＨＩＤ標準規格によるプロトコル形式に変換した入力データを伝送される段階と；前記ＵＳＢ装置が前記入力データを前記入力装置の種類によって既設定された形式で解析する段階と；前記ＵＳＢ装置が前記解析されたデータを前記標準ブルートゥース入力装置のプロトコルに対応されるようにデータを生成する段階と；前記ＵＳＢ装置が前記生成したデータを前記所定外部機器に伝送する段階と；を含めてなる。
【００３９】
前記の目的を達成するための本発明のまた他の実施例による入力インターフェースを提供するＵＳＢ装置のインターフェース提供方法は、所定端末とＵＳＢポートを通じて連結されるＵＳＢ装置のインターフェース提供方法であって、ＵＳＢ装置がＨＩＤ標準規格を遵守するように既設定されて、前記ＵＳＢポートと連結する時、前記所定端末でＨＩＤ遵守装置と認識されるようにする段階と；前記ＵＳＢ装置が前記所定端末で実行される実行プログラムを駆動して前記実行プログラムから前記所定端末の入力装置の種類を入力される段階と；前記ＵＳＢ装置が既保存されたブルートゥース入力装置等に対するブルートゥースプロファイルの中の前記入力された入力装置の種類と対応されるブルートゥースプロファイルを選択して所定外部機器が前記ＵＳＢ装置を選択されたブルートゥース入力装置と認識するようにしながら、前記所定外部機器とブルートゥース通信する段階と；前記ＵＳＢ装置が前記実行プログラムから前記入力装置の種類と対応される前記所定端末の入力装置のデータを前記ＨＩＤ標準規格で伝送される段階と；前記ＵＳＢ装置が前記伝送された入力装置のデータを前記入力装置の種類によって既設定された形式で解析する段階と；前記ＵＳＢ装置が前記解析されたデータを前記選択されたブルートゥース入力装置のプロトコルに対応するデータに変換する段階と；前記ＵＳＢ装置が前記変換したデータを前記所定外部機器に伝送する段階と；を含めてなる。
【発明の効果】
【００４０】
本発明の実施例による入力インターフェースを提供するＵＳＢ装置およびそのインターフェース提供方法は、所定端末のＵＳＢポートと連結するＵＳＢ装置を通じて前記所定端末の入力手段を外部機器と共有することによって、前記ＵＳＢ装置とブルートゥース通信する様々な外部機器に対して、別途の入力手段無しに入力インターフェースを提供することができて、ユーザ便宜性に優れた効果がある。
【００４１】
本発明の実施例による入力インターフェースを提供するＵＳＢ装置およびそのインターフェース提供方法は、所定端末と連結されるＵＳＢ制御部と、外部機器と通信するブルートゥース通信部とを分離構成することによって、所定端末、または外部機器の種類に関係なく、入力手段を共有するようにして、装置の互換性に優れた効果がある。
【００４２】
本発明の実施例による入力インターフェースを提供するＵＳＢ装置およびそのインターフェース提供方法は、ＵＳＢＨＩＤ標準規格を遵守して所定端末のＵＳＢポートと連結して前記所定端末がＵＳＢ装置をＨＩＤ遵守装置と認識することによって、様々なオペレーティングシステムに対し、汎用的にＵＳＢ装置を使用することができ、装置の互換性を増大させる効果がある。
【００４３】
本発明の実施例による入力インターフェースを提供するＵＳＢ装置およびそのインターフェース提供方法は、所定端末で動作する実行プログラムを備えて前記実行プログラムが前記所定端末の入力データをＵＳＢ装置に伝送するようにすることによって、別途のドライバー無しに、簡便に入力インターフェースとして使用することができ、装置の互換性をさらに増大させる効果がある。
【００４４】
本発明の実施例による入力インターフェースを提供するＵＳＢ装置およびそのインターフェース提供方法は、ブルートゥースＨＩＤ標準規格を遵守して外部機器とブルートゥース通信して、前記外部機器が前記ＵＳＢ装置を標準ブルートゥース入力手段と認識することによって、前記外部機器に別途のアプリケーションを設置しなくても直ちに連動するようにして、ユーザ便宜性をさらに増大させる効果がある。
【００４５】
本発明の実施例による入力インターフェースを提供するＵＳＢ装置およびそのインターフェース提供方法は、前記のような分離構成を通じて、入力手段の種類の設定変更、またはブルートゥース通信プロファイルの設定を変更するだけで、入力インターフェースの種類を変更できるようにすることによって、キーボード、マウスのような基本入力手段のみならず、ペンや、デジタイザのような様々な入力手段をインターフェースすることができて、装置の拡張性に非常に優れた効果がある。
【図面の簡単な説明】
【００４６】
【図１】本発明の実施例による入力インターフェースを提供するＵＳＢ装置の第１例示図である。
【図２】本発明の実施例による入力インターフェースを提供するＵＳＢ装置の第２例示図である。
【図３】本発明の実施例による入力インターフェースを提供するＵＳＢ装置の外観を図示した例示図である。
【図４】本発明の実施例による入力インターフェースを提供するＵＳＢ装置の全体構成図である。
【図５】本発明の第１実施例による入力インターフェースを提供するＵＳＢ装置の細部構成図である。
【図６】本発明の第２実施例による入力インターフェースを提供するＵＳＢ装置の細部構成図である。
【図７】本発明の実施例による入力インターフェース提供方法のフローチャートである。
【図８】本発明の実施例による入力手段動作段階のフローチャートである。
【発明を実施するための形態】
【００４７】
前記のような本発明を添付の図面と実施例を通じて詳しく説明する。
【００４８】
図１は、本発明の実施例による入力インターフェースを提供するＵＳＢ装置（１００）の第１例示図である。
【００４９】
前記入力インターフェースを提供するＵＳＢ装置（１００）をコンピューター（２００）のＵＳＢポート（ＰＯＲＴ）に装着して、前記ＵＳＢ装置（１００）に内蔵された実行プログラム（１０１）を実行すると、前記コンピューター（２００）のキーボード（４００）、またはマウスを用いてスマートフォン（１０）に入力（１１）ができる。
【００５０】
さらに詳しく説明すると、前記ＵＳＢ装置（１００）に内蔵された実行プログラム（１０１）を 実行させると、モニター（３００）画面にノートパッドのような文書作成プログラム（１０１、または、前記ＵＳＢ装置専用の文書作成プログラム）が開かれ、その中に入力した内容が前記スマートフォン（１０）に同一に入力（１１）される。
【００５１】
また、コピー＆ペースト（Ｃｏｐｙ＆Ｐａｓｔｅ）機能支援でコンピューター（２００）の他の文書の内容を複写して、前記文書作成プログラム（１０１）に貼付すると、前記スマートフォン（１０）に複写したデータが同一に伝送（１１）される。
【００５２】
例えば、マウスを動かしてスマートフォン（１０）の方へ移動させると、モニター（３００）臨界値（例えば、左側の端）を超えると、前記スマートフォン（１０）にマウスが位置し、コンピューター（２００）に連結されたキーボード（４００）入力がスマートフォン（１０）の方へ直ちに入力されるように構成することができる。これに関しては、図２で詳しく説明する。
【００５３】
前記入力インターフェースを提供するＵＳＢ装置（１００）は、ブルートゥース通信部とＵＳＢ制御部とを含めて構成され、前記ＵＳＢ制御部がメモリを内蔵していて、前記メモリに実行ファイル（前記実行プログラム）が保存される。
【００５４】
この時、前記メモリは、前記実行プログラムのアップデートが前記コンピューター（２００）でできるように、フラッシュメモリのような読み書きが可能なメモリを使うことが好ましいが、費用の面でＲＯＭ（Ｒｅａｄ  Ｏｎｌｙ  Ｍｅｍｏｒｙ）を使って前記実行プログラムを内蔵することもできる。
【００５５】
即ち、前記ＵＳＢ装置（１００）は、ブルートゥース通信部とＵＳＢメモリとに分離構成されて、前記ＵＳＢメモリに前記コンピューター（２００）に必要な実行プログラム（１０１）が位置する。
【００５６】
この時、前記実行プログラム（１０１）は、別途の設置が要らないように実行ファイル一つからなることが好ましい。
【００５７】
前記コンピューター（２００）は、前記ＵＳＢ装置（１００）のブルートゥース通信部と直接的な通信がないため、前記ＵＳＢ装置（１００）を一般的なＵＳＢデバイスと認識するようになり、前記ＵＳＢメモリ（ＵＳＢ制御部）が前記実行プログラム（１０１）から前記コンピューター（２００）の入力データを受け取ってブルートゥース形式に変換して前記ブルートゥース通信部に伝送する。
【００５８】
前記ＵＳＢ装置（１００）は、ＵＳＢインターフェースを利用し、ウィンドウズ（登録商標）、マッキントッシュ（登録商標）、リナックス（登録商標）などのオペレーティングシステム（ＯＳ）が基本的に支援するＵＳＢＨＩＤを用いるため、別途の装置ドライバーを設置する必要がなく、内蔵された実行プログラムを実行させることだけで、前記コンピューター（２００）のキーボード（４００）とマウスを用いてスマートフォン（１０）に入力（１１）することが可能になる。
【００５９】
このように、前記ＵＳＢ装置（１００）は、実行プログラム（１０１）をのみ実行させれば良い構成であるため、ウィンドウズ（登録商標）のみならず、マック（ＭＡＣ）（登録商標）、リナックス（Ｌｉｎｕｘ）（登録商標）など、全てのオペレーティングシステム（ＯＳ）と別途のプログラムの設置無しに通信が可能である。
【００６０】
この時、前記ＵＳＢ装置（１００）は、各々のオペレーティングシステムで実行できるようにウィンドウズ（登録商標）用の実行ファイルと、マック（登録商標）用の実行ファイル、リナックス（登録商標）用の実行ファイルなど、様々なオペレーティングシステムに対する実行ファイルを全て内蔵することが好ましい。
【００６１】
一方、前記ＵＳＢ装置（１００）は、スマートフォン（１０）とブルートゥースを用いて通信するため、前記スマートフォン（１０）に前記ＵＳＢ装置（１００）と通信するために別途のプログラムを設置する必要がない。
【００６２】
即ち、スマートフォン（１０）との通信は、ほとんどのスマートフォン（１０）が支援する基本ブルートゥースキーボード、マウス機能を利用するため、別途のアプリケーションは要らない。
【００６３】
この時、円滑に連動するために前記ＵＳＢ装置（１００）は、ブルートゥースＨＩＤプロファイルを通じて前記スマートフォン（１０）と通信することがさらに好ましい。
【００６４】
好ましい実施例として、前記入力インターフェースを提供するＵＳＢ装置（１００）の動作を実行順序によって説明すると次のようである。
【００６５】
前記ＵＳＢ装置（１００）のユーザは、オペレーティングシステムの種類と関係なく、ＵＳＢポートを備えたコンピューター（２００）に前記ＵＳＢ装置（１００）を挿入する。
【００６６】
前記ＵＳＢ装置（１００）は、前記コンピューター（２００）とＵＳＢＨＩＤ規格で通信するように構成されていて、メモリを内蔵して前記コンピューター（２００）はＵＳＢメモリとして認識するようになる。
【００６７】
このため、前記ＵＳＢ装置（１００）にＵＳＢハブのような構成を含み、前記コンピューター（２００）が前記ＵＳＢ装置（１００）を前記メモリ装置と前記ＵＳＢＨＩＤ規格のＨＩＤ遵守装置との二種類のデバイスとして認識するようにすることが好ましい。
【００６８】
以後、ユーザは、前記実行ファイルの位置した前記メモリ装置を前記コンピューター（２００）で使用できるため、オペレーティングシステムに適合した実行ファイルを実行し、実行された実行プログラム（１０１）を通じて前記コンピューター（２００）のキーボード（４００）やマウスを前記スマートフォン（１０）の入力手段として利用することができる。
【００６９】
この時、前記実行プログラム（１０１）を通じて、前記キーボード（４００）やマウスの入力データを入力され、入力されたデータを、前記ＵＳＢＨＩＤ規格を通じて、前記ＵＳＢＨＩＤ遵守装置に伝送することになる。
【００７０】
また、前記ＵＳＢ装置（１００）に伝送された入力データは、変換過程を経て前記ＵＳＢ装置（１００）に内蔵されたブルートゥース通信部を通じて前記スマートフォン（１０）に伝送される。
【００７１】
前記スマートフォン（１０）は、前記ＵＳＢ装置（１００）を基本ブルートゥースキーボード、またはマウスと認識しているため、前記ブルートゥース通信部の通信規約をこれに合わせて構成し、前記スマートフォン（１０）と前記ＵＳＢ装置（１００）との通信は、一般的なブルートゥースキーボード、またはマウスの方式と同一になる。
【００７２】
したがって、前記コンピューター（２００）では前記ＵＳＢ装置（１００）のための別途のデバイスドライバーが要らなくなり、前記スマートフォン（１０）でも基本ブルートゥース方式を用いるため、別途のアプリケーションを搭載しなくて良い。
【００７３】
例えば、ｉＰｈｏｎｅ（登録商標）のようなｉＯＳを用いるスマートフォンでは、ブルートゥースキーボードを基本的に支援し、サムスンの"ＧＡＬＡＸＹ  Ｓ"（登録商標）のようなアンドロイドオペレーティングシステムを用いるスマートフォンの場合、ブルートゥースＨＩＤプロファイルを支援するため、使用に無理がない。
【００７４】
したがって、前記ＵＳＢ装置（１００）は、前記スマートフォン（１０）とブルートゥースペアリングをすることによって前記コンピューター（２００）のキーボード（４００）、マウスを使用することができる。
【００７５】
このような構成によって、前記ＵＳＢ装置（１００）は、前記コンピューター（２００）に連結されたキーボード（４００）、またはマウスをスマートフォン（１０）のほかにも、基本ブルートゥースキーボードを支援する様々な外部機器と連動して使用することができる。
【００７６】
即ち、スマートフォンのみならず、ブルートゥース通信を支援するタブレット、またはノートパソコンとも自在に連動して使用することができるという長所がある。
【００７７】
このように、前記ＵＳＢ装置（１００）は、所定端末（２００；コンピューター）のＵＳＢポートと連結して前記所定端末（２００）の入力手段（４００）を外部機器（１０）と共有してブルートゥース通信する様々な外部機器に対して、別途の入力手段無しに入力インターフェースを提供することができるため、ユーザの便宜性に非常に優れた長所がある。
【００７８】
また、ブルートゥースＨＩＤ標準規格を遵守して外部機器（１０）とブルートゥース通信することが好ましく、これを通じて前記外部機器（１０）が前記ＵＳＢ装置（１００）を標準ブルートゥース入力手段と認識して、前記外部機器（１０）に別途のアプリケーションを設置しなくても、直ちに連動できるため、ユーザの便宜性をさらに増大することができる。
【００７９】
図２は、本発明の実施例による入力インターフェースを提供するＵＳＢ装置（１００）の第２例示図である。
【００８０】
実行プログラムを実行すると、文書作成プログラム（１０１）が開かれ、前記ＵＳＢ装置（１００）は、該文書作成プログラム（１０１）に入力する内容（１０２）を前記実行プログラムから伝達されて、スマートフォン（１０）に伝送（１１）する。
【００８１】
この時、前記文書作成プログラム（１０１）は、前記実行プログラムであるか、前記実行プログラムによって呼び出される該オペレーティングシステム内の既設定されたプログラムであることがある。
【００８２】
前記ＵＳＢ装置（１００）は、前記文書作成プログラム（１０１）が活性化された状態で動くマウスポインタの位置（１０３、１０４）を、前記実行プログラムを用いて実時間にスマートフォン（１０）に伝送（１１）することもできる。
【００８３】
また、メールや他の文書を開いてテキストを複写した後、前記文書作成プログラム（１０１）に貼付をすると、これを前記実行プログラムを通じて前記ＵＳＢ装置（１００）が前記スマートフォン（１０）に伝送（１１）することができる。
【００８４】
好ましい実施例として、前記実行プログラムを実行すると、シンプルな窓が開き、この窓ではスマートフォン（１０）の位置を選択することができるようにする。
【００８５】
ユーザは、左、右の二種類の選択ボタンの中の一つをクリックすれば良いが、例えば左側をクリックした場合、前記スマートフォン（１０）に所定内容（１２）を入力したいなら、ユーザはマウス（１０３）をモニター（３００）の左側に移動（１０４）させる。
【００８６】
前記マウスのポインタ（１０４）がモニター（３００）上に位置した所定臨界値を越える瞬間、マウスポインタ（１０４）はスマートフォン（１０）の方で表示（未図示）されて、ユーザはモニター（３００）の左側に置かれたスマートフォン（１０）を見ながら前記マウスを操作して前記キーボード（４００）を通じて入力（１２）することができる。
【００８７】
また、右側を選択した場合は、逆にマウスがモニターの右側臨界値を超える瞬間、マウスポインタがスマートフォンに移動されて、以下の動作は同一に行われる。
【００８８】
前記ＵＳＢ装置（１００）は、前記スマートフォン（１０）の基本ブルートゥースキーボード、またはマウスと認識されて動作するため、前記方式は、前記スマートフォン（１０）に別途のアプリケーションを設置しなくても良いことに留意する。
【００８９】
このように、前記入力インターフェースを提供するＵＳＢ装置（１００）は、所定端末（２００）で動作する実行プログラムを備えて前記実行プログラムが前記所定端末（２００）の入力データ（１０２）をＵＳＢ装置（１００）に伝送するようにして、別途のドライバー無しに簡便に入力インターフェースとして使用できるため、装置の互換性を非常に高めることができる。
【００９０】
図３は、本発明の実施例による入力インターフェースを提供するＵＳＢ装置（１００）の外観を図示した例示図であって、前記入力インターフェースを提供するＵＳＢ装置（１００）は、一般的なＵＳＢ記録媒体、あるいはＵＳＢドングルと外観を類似にすることが、使用上好ましい。
【００９１】
図４は、本発明の実施例による入力インターフェースを提供するＵＳＢ装置（１００）の全体構成図であって、前記入力インターフェースを提供するＵＳＢ装置（１００）は、ＵＳＢコネクタ（１０５）を用いて所定端末のＵＳＢポートを通じて連結されるＵＳＢ装置であって、ブルートゥース装置を支援する所定外部機器（１０）で標準ブルートゥース入力装置と認識されてブルートゥース通信（１４）するブルートゥース通信部（１２０）およびＨＩＤ標準規格を遵守するように既設定されて、前記ＵＳＢポートと連結する時、前記所定端末でＨＩＤ遵守装置と認識され、前記所定端末で実行されて前記標準ブルートゥース入力装置の種類と対応される前記所定端末の入力装置のデータを入力されて前記ＨＩＤ標準規格によるプロトコル形式に変換した入力データを伝送する実行プログラムを通じて前記入力データを伝送されて、これを前記入力装置の種類によって既設定された形式で解析して前記標準ブルートゥース入力装置のプロトコルに対応されるようにデータを生成し、これを前記ブルートゥース通信部（１２０）に伝送するＵＳＢ制御部（１１０）を含む。
【００９２】
この時、前記実行プログラムは、前記ＵＳＢ制御部（１１０）を通じて制御されるメモリ部（１３０）に備えられていることが好ましい。
【００９３】
また、前記所定外部機器（１０）は、ブルートゥース通信（１４）のためのブルートゥースモジュール（１３）を内蔵することが当然であって、前記ＵＳＢ装置（１００）を基本ブルートゥース入力装置と認識するプロファイルを内蔵することがさらに好ましい。
【００９４】
前記入力インターフェースを提供するＵＳＢ装置（１００）は、ＵＳＢ制御部（１１０）とブルートゥース通信部（１２０）とが分離構成されて、所定端末と前記外部機器（１０）との間の通信が分離されて動作する。
【００９５】
即ち、コンピューター（所定端末）ではＵＳＢＨＩＤ装置として動作し、スマートフォン（１０：外部機器）では基本ブルートゥースに連結されて通信（１４）し、通信のためのドライバーやスマートフォン専用アプリケーション無しに簡便にキーボード、またはマウスでの使用が可能である。
【００９６】
その反面、従来の一般的なブルートゥースドングルを通じてブルートゥース機器（例えば、スマートフォン）と通信することは、オペレーティングシステム、または連結しようとするデバイスごとに支援する機能および互換性を考えなければならないため、別途のドライバーや専用アプリケーションが必要となり、ユーザの便宜性が非常に落ちる。
【００９７】
しかし、本発明の実施例による入力インターフェースを提供するＵＳＢ装置（１００）は、連結された両側の機器からもっとも互換性のあるインターフェースを通じてコンピューターの内容を伝送するため、互換性が非常に高い。
【００９８】
即ち、前記入力インターフェースを提供するＵＳＢ装置（１００）は、ＵＳＢＨＩＤを用いてオペレーティングシステムおよびデバイスの互換性に全然問題がなく汎用的に使えるため、ＵＳＢ端子を有する様々なオペレーティングシステム（例えば、ウィンドウズ（登録商標）、リナックス（登録商標）、マッキントッシュ（登録商標））のコンピューターで使用可能であって、ｉＰｈｏｎｅ（登録商標）、または"ＧＡＬＡＸＹ  Ｓ"（登録商標）のような相違するオペレーティングシステムのスマートフォンでも同一に動作するため、ＵＳＢポートを備えたコンピューターさえあれば、コンピューターおよび外部機器のオペレーティングシステムに関係なく、前記ＵＳＢ装置を入力インターフェース装置として使用することができる。
【００９９】
このように、前記ＵＳＢ装置（１００）は、所定端末と連結されるＵＳＢ制御部（１１０）と、外部機器（１０）と通信するブルートゥース通信部（１２０）とを分離構成して所定端末、または外部機器の種類に関係なく入力手段を共有することができるため、装置の互換性に非常に優れた長所がある。
【０１００】
図５は、本発明の第１実施例による入力インターフェースを提供するＵＳＢ装置の細部構成図であって、前記入力インターフェースを提供するＵＳＢ装置は、ＵＳＢポートを備えた所定端末と連結されるＵＳＢコネクタ部（１０５）と、ＨＩＤ標準規格を遵守するように既設定されて前記ＵＳＢポートと連結する時、前記所定端末でＨＩＤ遵守装置と認識されるようにする装置認識部（１１２）と、ブルートゥース装置を支援する所定外部機器で標準ブルートゥース入力装置と認識されてブルートゥース通信するブルートゥース通信部（１２０）と、前記所定端末で実行されて前記標準ブルートゥース入力装置の種類と対応される前記所定端末の入力装置のデータを入力されて、これを前記ＨＩＤ標準規格によるプロトコル形式に変換した入力データを前記装置認識部に伝送する実行プログラムを備えたメモリ部（１３０）と、前記装置認識部から前記入力データを伝送されて、これを前記入力装置の種類によって既設定された形式で解析するデータ解析部（１１３）と、前記データ解析部（１１３）で解析されたデータを前記標準ブルートゥース入力装置のプロトコルに対応されるようにデータを生成するデータ生成部（１１５）と、前記データ生成部（１１５）で生成したデータを前記ブルートゥース通信部（１２０）に伝送する制御部（１１４）とを含む。
【０１０１】
また、給電に必要な電源部（１１１）をさらに含むことができる。
【０１０２】
前記本発明の実施例による入力インターフェースを提供するＵＳＢ装置は、ＵＳＢＨＩＤ標準規格を遵守して所定端末のＵＳＢポートと連結して、前記所定端末がＵＳＢ装置をＨＩＤ遵守装置と認識するようにして様々なオペレーティングシステムに対し、汎用的にＵＳＢ装置を使用することができるため、装置の互換性を増大させることができる。
【０１０３】
一方、前記装置認識部（１１２）は、前記ＨＩＤ標準規格を遵守し、前記標準ブルートゥース入力装置の種類によって、既設定されたデータ構造で前記実行プログラムからデータを伝送されることが好ましい。
【０１０４】
即ち、前記ＵＳＢ装置は、ＵＳＢＨＩＤのインターフェース（Ｉｎｔｅｒｆａｃｅ）規格をのみ遵守するものであって、交換するデータは特定化されてなく、前記データの構造を前記実行プログラム上で任意に定義して使用する。
【０１０５】
例えば、前記実行プログラムがウィンドウズオペレーティングシステムを基盤とするコンピューターで駆動されるプログラムであれば、ＵＳＢＨＩＤ規格下で前記ウィンドウズ（登録商標）のＷｉｎＤＤＫから提供するＡＰＩを用いて具現することができる。
【０１０６】
表１ないし表２は、このようなデータ構造の例を図示したものである。
【０１０７】
【表１】
0005469652.tif 000002
【０１０８】
【表２】
0005469652.tif 000003
【０１０９】
前記装置認識部（１１２）は、前記実行プログラムから前記所定端末でのマウスポインタデータを伝送されることをさらに含むことができる。
【０１１０】
また、前記装置認識部（１１２）は、前記所定端末でポインタ位置が既設定された臨界値を超えるか、既設定された位置に移動する場合、前記実行プログラムから複写した入力データを伝送されるようにすることもできる。
【０１１１】
また、前記ブルートゥース通信部（１２０）は、ブルートゥースＨＩＤ装置を支援する所定外部機器で標準ブルートゥースＨＩＤ入力装置と認識されてブルートゥース通信することが好ましい。
【０１１２】
前記メモリ部（１３０）は、読みおよび書きが可能なメモリで構成されて、前記実行プログラムのアップデートが可能である
【０１１３】
また、前記メモリ部（１３０）は、前記所定端末のオペレーティングシステムの種類による各々の実行プログラムを備えることが好ましい。
【０１１４】
または、図示していないが、前記実行プログラムを前記メモリ部（１３０）のほかにプログラム保存部に保存して実行されるように構成することもできる。
【０１１５】
前記所定外部機器は、ブルートゥース通信を支援する如何なる機器であっても差し支えないが、スマートフォン、タブレット、ノートパソコンの中の一つであることが好ましく、この時、前記所定外部機器のオペレーティングシステムは、例えば、アンドロイド（登録商標）ＯＳ、ｉＯＳ、ウィンドウズ（登録商標）ＯＳ、シンビアン（登録商標）ＯＳ、ブラックベリー（登録商標）ＯＳ、バダＯＳの中の一つであることがある。
【０１１６】
好ましい実施例として、前記装置認識部（１１２）は、前記所定端末で前記メモリ部（１３０）および前記ＨＩＤ遵守装置の同時認識のためのＵＳＢハブをさらに含むこともできる。
【０１１７】
一方、前記入力インターフェースを提供するＵＳＢ装置のほかの好ましい実施例として、前記ＵＳＢ装置は、ＨＩＤ標準規格を遵守するように既設定されて前記ＵＳＢポートと連結する時、前記所定端末でＨＩＤ遵守装置と認識されるようにする装置認識部（１１２）と、所定外部機器で支援する標準ブルートゥースキーボードと設定され、前記所定外部機器とブルートゥース通信するブルートゥース通信部（１２０）と、前記所定端末で実行されて前記所定端末のキーボードデータを入力され、これを前記ＨＩＤ標準規格で提供するプロトコルの形態に変換して前記装置認識部（１１２）に伝送する実行プログラムを保存したプログラム保存部（未図示）と、前記装置認識部（１１２）から前記キーボードデータを伝送されて既設定された形式で解析するデータ解析部（１１３）と、前記データ解析部（１１３）で解析されたデータを前記標準ブルートゥースキーボードのプロトコルに対応されるようにデータを生成するデータ生成部（１１５）と、前記データ生成部（１１５）で生成したデータを前記ブルートゥース通信部（１２０）に伝送する制御部（１１４）とを含めて構成して、無線ブルートゥースキーボード専用と構成することもできる。
【０１１８】
図６は、本発明の第２実施例による入力インターフェースを提供するＵＳＢ装置の細部構成図であって、前記入力インターフェースを提供するＵＳＢ装置は、ＵＳＢポートを備えた所定端末と連結されるＵＳＢコネクタ部（１０５）と、ＨＩＤ標準規格を遵守するように既設定されて前記ＵＳＢポートと連結する時、前記所定端末でＨＩＤ遵守装置と認識されるようにする装置認識部（１１２）と、前記所定端末で実行されて前記所定端末の入力装置の種類を入力され、前記入力装置の対応される入力データを入力され、これを前記ＨＩＤ標準規格で提供する標準プロトコルの形態に変換して前記装置認識部（１１２）に伝送する実行プログラムを備えたメモリ部（１３０）と、ブルートゥース装置を支援する一つ以上の外部機器に対し、所定外部機器の一つ以上のブルートゥース入力装置に対するブルートゥースプロファイル等を保存したプロファイル保存部（１１６）と、前記所定外部機器に該当する前記ブルートゥースプロファイルの中で前記入力装置の種類と対応されるブルートゥースプロファイルを選択して前記所定外部機器とブルートゥース通信するブルートゥース通信部（１２０）と、前記装置認識部（１１２）から前記入力データを伝送され、これを前記設定された入力装置の種類によって既設定された形式で解析するデータ解析部（１１３）と、前記データ解析部（１１３）で解析されたデータを前記選択したブルートゥースプロファイルのプロトコルに対応されるようにデータを生成するデータ生成部（１１５）と、前記データ生成部（１１５）で生成したデータを前記ブルートゥース通信部（１２０）に伝送する制御部（１１４）とを含む。
【０１１９】
一方、前記入力インターフェースを提供するＵＳＢ装置は、ＨＩＤドライバーを用いるため、前記所定端末で如何なる装置であるか特定されなく、実質的にブルートゥースとペアリングする前記外部機器で認識する対象となる。
【０１２０】
したがって、前記ＵＳＢ装置は、前記実行プログラムで設定するように前記所定端末と連結された入力装置の中の一つを前記外部機器に対して支援する装置（例えば、ブルートゥースキーボード、マウス、ファイル伝送器、その他のデバイス）と変更することができる。
【０１２１】
このような構成は、使用中の時はもちろんのこと、製造過程であっても変更可能な構造であるため、使用用途によって前記ブルートゥースプロファイルおよび実行プログラムを 変更して製造することで、目的に相応しい様々な応用が可能となる。
【０１２２】
このように、前記ＵＳＢ装置は、前記のような分離構成を通じて、入力手段の種類の設定を変更、またはブルートゥース通信プロファイルの設定を変更するだけで、入力インターフェースの種類を変更することができるようにして、キーボード、マウスのような基本入力手段のみならず、ペンや、デジタイザのような様々な入力手段をインターフェースすることができるため、装置の拡張性に非常に優れた長所がある。
【０１２３】
また、前記プロファイル保存部（１１６）は、前記ブルートゥースプロファイル等の追加、削除、更新が可能で、前記メモリ部（１３０）は、前記実行プログラムの追加、削除、更新ができるように構成することができる。
【０１２４】
一方、このような拡張性を有した前記ＵＳＢ装置の他の好ましい実施例として、ＵＳＢポートを備えた所定端末と連結されるＵＳＢコネクタ部（１０５）と、ＨＩＤ標準規格を遵守するように既設定されて前記ＵＳＢポートと連結する時、前記所定端末でＨＩＤ遵守装置と認識されるようにする装置認識部（１１２）と、ブルートゥース装置を支援する一つ以上の外部機器に対して、所定外部機器の一つ以上のブルートゥース入力装置に対するブルートゥースプロファイル等を保存したプロファイル保存部（１１６）と、前記所定外部機器に該当する前記ブルートゥースプロファイルの中の一つを選択して、前記所定外部機器とブルートゥース通信するブルートゥース通信部（１２０）と、前記選択したブルートゥースプロファイルに該当する入力装置の種類を設定する入力インターフェース設定部（１１７）と、前記所定端末で実行されて前記入力装置の種類と対応される前記所定端末の入力装置の入力データを入力され、これを前記ＨＩＤ標準規格で提供する標準プロトコルの形態に変換して前記装置認識部（１１２）に伝送するプログラムを備えたメモリ部（１３０）と、前記装置認識部（１１２）から前記入力データを伝送され、これを前記設定された入力装置の種類によって既設定された形式で解析するデータ解析部（１１３）と、前記データ解析部（１１３）で解析されたデータを前記選択したブルートゥースプロファイルのプロトコルに対応されるようにデータを生成するデータ生成部（１１５）と、前記データ生成部（１１５）で生成したデータを前記ブルートゥース通信部（１２０）に伝送する制御部（１１４）とを含めて構成することができる。
【０１２５】
前記ＵＳＢ装置は、支援可能なブルートゥースプロファイルを内蔵し、ユーザがこの中の一つを選択して該入力装置用の入力インターフェース装置として使用することができる。
【０１２６】
この時、前記入力インターフェース設定部（１１７）は、ハードウェア的に具現することが好ましいが、ソフトウェア的に具現しても差し支えはない。
【０１２７】
図６で図示して説明した二つの実施例は、入力装置の種類を設定する手段の違いであって、その重要な構成要素は同一であるという点に留意する。
【０１２８】
図７は、本発明の実施例による入力インターフェース提供方法のフローチャートであって、図８は、本発明の実施例による入力手段動作段階のフローチャートである。
【０１２９】
図７ないし図８を参照すると、本発明の実施例による所定端末とＵＳＢポートを通じて連結されるＵＳＢ装置のインターフェース提供方法は、前記ＵＳＢ装置がＨＩＤ標準規格を遵守するように既設定されて、前記ＵＳＢポートと連結する時、前記所定端末でＨＩＤ遵守装置と認識されるようにする段階（Ｓ７１０）と、前記ＵＳＢ装置が前記所定端末で実行される実行プログラムを駆動する段階（Ｓ７２０）と、前記ＵＳＢ装置がブルートゥース装置を支援する所定外部機器と、標準ブルートゥース入力装置として認識（Ｓ７３０）されてブルートゥース通信する段階（Ｓ７４０）と、前記ＵＳＢ装置が前記実行プログラムから前記標準ブルートゥース入力装置の種類と対応される前記所定端末の入力装置のデータを前記ＨＩＤ標準規格によるプロトコル形式に変換した入力データを伝送される段階（Ｓ７５１、Ｓ７５２）と、前記ＵＳＢ装置が前記入力データを前記入力装置の種類によって、既設定された形式で解析する段階（Ｓ７５３）と、前記ＵＳＢ装置が前記解析されたデータを前記標準ブルートゥース入力装置のプロトコルに対応されるようにデータを生成する段階（Ｓ７５３）と、前記ＵＳＢ装置が前記生成したデータを前記所定外部機器に伝送する段階（Ｓ７５４）とを含む。
【０１３０】
前記インターフェース提供方法は、前記ＵＳＢ装置が前記外部機器と連結を解除する段階（Ｓ７６０）と、前記ＵＳＢ装置が前記実行プログラムを終了する段階（Ｓ７７０）とをさらに含むこともできる。
【０１３１】
一方、前記インターフェース提供方法の他の好ましい実施例として、ＵＳＢ装置がＨＩＤ標準規格を遵守するように既設定されて、前記ＵＳＢポートと連結する時、前記所定端末でＨＩＤ遵守装置と認識されるようにする段階（Ｓ７１０）と、前記ＵＳＢ装置が前記所定端末で実行される実行プログラムを駆動して、前記実行プログラムから前記所定端末の入力装置の種類を入力される段階（Ｓ７２０）と、前記ＵＳＢ装置が既保存されたブルートゥースプロファイルの中で前記入力装置の種類と対応されるブルートゥースプロファイルを選択して所定外部機器とブルートゥース通信する段階（Ｓ７３０、Ｓ７４０）と、前記ＵＳＢ装置が前記実行プログラムから前記入力装置の種類と対応される前記所定端末の入力装置のデータを前記ＨＩＤ標準規格によるプロトコル形式に変換した入力データを伝送される段階（Ｓ７５１、Ｓ７５２）と、前記ＵＳＢ装置が前記入力データを前記入力装置の種類によって既設定された形式で解析する段階（Ｓ７５３）と、前記ＵＳＢ装置が前記解析されたデータを前記標準ブルートゥース入力装置のプロトコルに対応されるようにデータを生成する段階（Ｓ７５３）と、前記ＵＳＢ装置が前記生成したデータを前記所定外部機器に伝送する段階（Ｓ７５４）とを含むことができる。
【０１３２】
以上、本発明による好ましい実施例について図示し、説明した。しかし、本発明は、前述の実施例に限定されなく、特許請求の範囲に添付する本発明の要旨を外れずに該発明に属する技術分野で通常の知識を有した者であれば、誰でも様々な変形実施ができる。
【符号の説明】
【０１３３】
１０    スマートフォン
１２    所定内容
１３    ブルートゥースモジュール
１４    ブルートゥース通信
１００    ＵＳＢ装置
１０１    実行プログラム
１０２    入力データ
１０３    マウスポインタの位置
１０４    マウスポインタの位置
１０５    ＵＳＢコネクタ
１１０    ＵＳＢ制御部
１１１    電源部
１１２    装置認識部
１１３    データ解析部
１１４    制御部
１１５    データ生成部
１１６    プロファイル保存部
１１７    入力インターフェース設定部
１２０    ブルートゥース通信部
１３０    メモリ部
２００    コンピューター
３００    モニター
４００    キーボード
【図１】
0005469652.tif 000004
【図２】
0005469652.tif 000005
【図３】
0005469652.tif 000006
【図４】
0005469652.tif 000007
【図５】
0005469652.tif 000008
【図６】
0005469652.tif 000009
【図７】
0005469652.tif 000010
【図８】
0005469652.tif 000011